(57)【要約】【課題】  フラッシュメモリカード等のカードを差し込むためのカード挿入口を備えた電子機器、例えばＰＬＣにおいて、カード挿入口に取り付けられるカバーに防塵の機能、カードの抜け止めの機能も備えたカード用カバーを提供する。【解決手段】  カード用カバーは、筐体の一部にカードが差し込まれるカード挿入口を備えた電子機器であって、カード挿入口の開口内周面に設けた凸部からなるラッチ引掛部に、コ字型形状に形成された二股の腕部外周端に鋸歯形状の係合係止手段をラッチさせるカバーを取付け自在にしたことである。【選択図】  図１
2005202814.tif 000002
【特許請求の範囲】
【請求項１】
筐体の一部にカードが差し込まれるカード挿入口を備えた電子機器であって、
前記カード挿入口の開口内周面に設けた凸部からなるラッチ引掛部に、コ字型形状に形成された二股の腕部外周端に鋸歯形状の係合係止手段をラッチさせるカバーを取付け自在に設けたことを特徴とするカード用カバー。
【請求項２】
前記二股の腕部が連設する基部で前記カードの頭を押さえたときに、前記係合係止手段は前記ラッチ引掛部にラッチできるスパンを有することを特徴とする請求項１に記載のカード用カバー。
【請求項３】
前記係合係止手段は、鋸歯形状のラッチを複数列で形成したことを特徴とする請求項１に記載のカード用カバー。
【請求項４】
前記複数列で形成した鋸歯形状のラッチは、歯の部分が互いにずらして形成したことを特徴とする請求項３に記載のカード用カバー。
【発明の詳細な説明】
【技術分野】
【０００１】
本発明は、カード用カバーに関し、詳しくはＰＬＣ（Ｐｒｏｇｒａｍａｂｌｅ  Ｌｏｇｉｃ  Ｃｏｎｔｏｒｏｌｌｅｒ）等のコントローラに搭載されるコンパクトフラッシュ（登録商標）カード等の記録媒体を差し込むためのカード挿入口に使用されるカバーで、防塵カバーとしての機能、カード挿入口を塞ぐことによる外観の良さ、カード挿入時における抜け防止等の様々な機能を持たせるようにしたカード用カバーに関する。
【背景技術】
【０００２】
従来技術におけるＰＬＣ等のコントローラ１１１は、図５に示すように、コンパクトフラッシュ（登録商標）カード等の記録媒体を差し込むためのカード挿入口１１２を備え、不使用時にはこのカード挿入口１１２にはダミーカード１１３を挿入しておき、防塵カバーとしての機能を持たせている。即ち、カード未使用時はダミーカード１１３を挿入したままにしておき、使用時にはダミーカード１１３を抜いて、記録媒体のコンパクトフラッシュ（登録商標）カードを差し込んで使用する。
【０００３】
図６に示すものは、他の例で、コントローラ１１１Ａ等の筐体内部にボードＰＷＢ上に配設されたカードコネクタ１１４をカード挿入口１１２Ａに臨ました状態で配置した構成にし、このカード挿入口１１２Ａには記録媒体であるコンパクトフラッシュ（登録商標）カード１１５を挿入していないときにはスプリング１１７の動作により外部と遮蔽する蓋１１６を備えた構成になっている。
即ち、通常スプリング１１７によりカード挿入口１１２Ａは蓋１１６で閉じており、使用時にはカード１１５を挿入して押し込むと蓋１１６が開かれ、カード１１５がカードコネクタ１１４に差し込むことで電気的な接触状態を得ることができる。
【０００４】
図７に示すものは、更に他の例で、コントローラ１１１Ｂ等の筐体の一部にカードを挿入するためのカード挿入口１１２Ｂを備え、このカード挿入口１１２Ｂにカードが挿入されていないときには、カード挿入口１１２Ｂに防塵カバー１１８を取り付けることにより、カード挿入口１１２Ｂから埃等が内部に入らないように工夫が施されている。この防塵カバー１１８は、カード挿入口１１２Ｂを塞ぐ大きさに形成された略コ字型形状の二股形状に形成され、二股形状に形成された両腕部１１９ａ、１１９ｂの外側にカード挿入口１１２Ｂの内部で係合する凸状の爪部１２０ａ、１２０ｂを設けた構造になっている。
そして、カード挿入口１１２Ｂに差し込まれているときには、この爪部１２０ａ、１２０ｂがカード挿入口１１２Ｂの側壁面に引っかかってラッチの役目をし、使用時は、その防塵カバー１１８を外してカードを挿入する。
【０００５】
【特許文献１】特開平８−３３９６７３（第３頁〜４頁  第１図）
【発明の開示】
【発明が解決しようとする課題】
【０００６】
しかし、従来技術で説明したカバーは、カードを使用しないときには、ダミーカードを挿入しておき、使用時にはこのダミーカードを抜くことで、抜いたダミーカードをなくしてしまうという問題がある。
又、カード挿入口を塞ぐ蓋部材にスプリングを利用した構造の蓋の場合には、カードを挿入していないときにはスプリングの付勢力でカード挿入口を塞ぐように機能しているが、振動・衝撃により塞ぐ状態が緩慢になると共に、カードを差し込んだときには、何の機能もおこさないという問題がある。
更に、カードを使用していないときには防塵カバーを取り付ける構造のカード挿入口においては、当該防塵カバーがカード挿入口に係合する凸部でラッチした状態で係合しているため振動・衝撃等で抜ける可能性があり、且つカードを差し込むときには、この防塵カバーを外すことで、外した防塵カバーをなくしてしまうという問題がある。
【０００７】
従って、カード未挿入時は防塵カバーとして機能させると共に、カード挿入時においては差し込んだカードの抜け防止の機能を持たせ、且つ差し込んだカードの接触状態を振動や衝撃に対して良好に維持できる機能を持たせるカード用カバーに解決しなければならない課題を有する。
【課題を解決するための手段】
【０００８】
上記課題を解決するために、本発明のカード用カバーは、次に示す構成にすることである。
【０００９】
（１）カード用カバーは、筐体の一部にカードが差し込まれるカード挿入口を備えた電子機器であって、前記カード挿入口の先端内周面に設けた凸部に、コ字型形状に形成された二股の腕部外周端に鋸歯形状の係合係止手段をラッチさせるカバーを取付け自在に設けたことである。
（２）前記二股の腕部が連設する基部で前記カードの頭を押さえたときに、前記係合係止手段は前記凸部にラッチできるスパンを有することを特徴とする（１）に記載のカード用カバー。
（３）前記係合係止手段は、鋸歯形状のラッチを複数列で形成したことを特徴とする（１）に記載のカード用カバー。
（４）前記複数列で形成した鋸歯形状のラッチは、歯の部分が互いにずらして形成したことを特徴とする（３）に記載のカード用カバー。
【発明の効果】
【００１０】
以上説明したことから明らかなように、本発明によれば、カードが差し込まれるカード挿入口に取り付けるカバーをコ字型形状に形成し、その二股の腕部外周面に鋸歯形状の係合係止手段を備えたことで、カード不使用時にはカバーを差し込んで防塵カバーとして機能し、カードを差し込んだときには、その差し込んだカードの頭を押さえるまでカバーを差し込むことで、カードの抜け止めとして機能するという効果がある。
【発明を実施するための最良の形態】
【００１１】
以下、本発明のカード用カバーの実施形態について、図面を用いて詳細に説明する。
【実施例１】
【００１２】
本発明のカード用カバーを備えた電子機器は、筐体の一部にカードが差し込まれるカード挿入口を備えた電子機器、例えば、ＰＬＣ等のコントローラであって、図１に示すように、カード挿入口１１の開口内周面に設けた凸部からなるラッチ引掛部１２に、コ字型形状に形成された二股の腕部１３ａ、１３ｂ外周端に設けた鋸歯形状の係合係止手段１４ａ、１４ｂをラッチさせるカバー１５を取付け自在にしたことである。カード挿入口１１の内部には、カードを電気的に接触させるカードコネクタ１８が配設されている。
【００１３】
カバー１５は、係合係止手段であるラッチを形成するため、弾性のあるモールド成形品で構成され、カードの出っ張りの有り無しによるサイズの違いに対応するため、コの字型形状でラッチする係合係止手段は鋸歯形状の歯１９が複数個形成されている。
この係合係止手段は、二股の腕部が連設する基部１６でカードの頭を押さえたときに、ラッチ引掛部１２にラッチできるスパンを有している。
【００１４】
このような構造のカバー１５は、出っ張りなしのカードが差し込まれると、一番奥まで押し込んだ場合の鋸歯１９がラッチ引掛部１２の位置でラッチされる。
【００１５】
出っ張りのカードは各種異なるため、使うカードの出っ張り量を想定した位置に、ラッチを形成する。
出っ張りのカードの場合は、係合係止手段の鋸歯形状の鋸歯１９と鋸歯１９の間隔は、取付け時にカードとカバー１５に多少隙間が開いても嵌合を確保するため、カードコネクタ１８への嵌合距離以下に形成されている。又、ラッチ間隔をより小さくすることで、より隙間を狭くすることができる。成形のためラッチ間隔が狭くできない場合には、鋸歯形状の係合係止手段１４ａ、１４ｂを複数列、例えば２列に形成してもよい。
【００１６】
２列に形成された鋸歯形状の係合係止手段は、図２に示すように、腕部１３ａ、１３ｂに対して１つの鋸歯１９を一列に形成し、他の列の鋸歯１９を一方の鋸歯１９の間になるようにして鋸歯１９を形成する。このようにして、全体としてラッチする間隔を狭くできるのである。
【００１７】
図１は、カード挿入口１１にカードが差し込んでいないときの様子を示したもので、カード挿入口１１に腕部１３ａ、１３ｂ側を前にして挿入すると、鋸歯形状の係合係止手段１４ａ、１４ｂがラッチ引掛部１２に引っかかりながら入りこみ、基部１６の位置がカード挿入口１１の面に略面一の状態になったときに係止され、防塵カバーとして機能する。
【００１８】
図３は、通常サイズのカード２０が挿入されているときの様子を示したもので、通常サイズのカード２０をカード挿入口１１に差し込むと、カード２０の頭部分がカード挿入口１１から出ない状態でカードコネクタ１８に差し込まれる。このとき、カード２０を腕部１３ａ、１３ｂで挟み込むようにしてカバー１５を差し込むと、カード２０を腕部１３ａ、１３ｂで挟み込んだ状態でカード２０の頭部がカバー１５の基部１６に接するまで、鋸歯形状をした係合係止手段１４ａ、１４ｂの鋸歯１９がラッチ引掛部１２にラッチされて係止する。このときカバー１５の基部１６がカード挿入口１１よりも少し出た状態で係止され、同時にカード２０をカードコネクタ１８方向に押さえ込んだ状態で係止できるのでカード２０の抜け防止として機能する。
【００１９】
図４は、カード挿入口１１に差し込んだカードの頭部分が外に出る大きさの出っ張りのカード２０Ａを差し込んだときの様子を示したもので、出っ張りのカード２０Ａをカード挿入口１１に差し込むと、カード２０Ａの頭側の部分がカード挿入口１１から出た状態となっている。この状態で、カバー１５の腕部１３ａ、１３ｂでカード２０Ａを挟み込んだ状態で、鋸歯形状の係合係止手段１４ａ、１４ｂをラッチ引掛部１２にラッチさせながら押し込むと、基部１６がカード２０Ａの頭部分に押し当てた状態でカードコネクタ１８方向に押した状態で係止する。このとき、カバー１５はカード挿入口１１から出ているカード２０Ａを押した状態で係止され、カード２０Ａの抜け防止として機能する。
【００２０】
このようにして、カードの大きさに対応させて、カバー１５の鋸歯形状の係合係止手段１４ａ、１４ｂによるラッチ状態を変化させることで、カードを押さえ込むことができるのでカードの抜け防止となる。
【産業上の利用可能性】
【００２１】
フラッシュメモリカード等のカードを差し込むためのカード挿入口に、差し込むためのカバーにカードが挿入していないときには防塵の機能を持たせ、カードが差し込んでいるときにはカードの抜け止めの機能を持たせるようにしたカバーを提供する。
【図面の簡単な説明】
【００２２】
【図１】本願発明のカード用カバーとカード挿入口の構造を示した説明図である。
【図２】係合係止手段を２列にした説明図である。
【図３】本願発明のカード用カバーにおいて、通常サイズのカードをカード挿入口に差し込んだときのカバーの様子を示した説明図である。
【図４】同、出っ張りカードをカード挿入口に差し込んだときのカバーの様子を示した説明図である。
【図５】従来技術におけるダミーカードをカード挿入口に差し込む様子を示した説明図である。
【図６】従来技術におけるスプリングで塞ぐ蓋部材の構造を示した説明図である。
【図７】従来技術におけるカバーをカード挿入口に差し込む様子を示した説明図である。
【符号の説明】
【００２３】
１１      カード挿入口
１２      ラッチ引掛部
１３ａ    腕部
１３ｂ    腕部
１４ａ    係合係止手段
１４ｂ    係合係止手段
１５      カバー
１６      基部
１８      カードコネクタ
１９      鋸歯
２０      カード
２０Ａ    出っ張りのカード。
【図１】
2005202814.tif 000003
【図２】
2005202814.tif 000004
【図３】
2005202814.tif 000005
【図４】
2005202814.tif 000006
【図５】
2005202814.tif 000007
【図６】
2005202814.tif 000008
【図７】
2005202814.tif 000009